(57)【要約】【課題】  災害発生時等の緊急時に、安否確認メッセージ等の情報を優先して確実に送信することが可能な通信制御システムおよび通信制御方法を提供する。【解決手段】  緊急時に、ＳＭＳに関する通信プロトコルを優先させるとともに、所定の携帯通信端末１１から所定の通信端末２１への送信処理を優先させるための通信制御ポリシを記憶する記憶装置１０１と、緊急時であることを報知する情報を受信した後、前記携帯通信端末１１から、前記通信端末２１を宛先とするＳＭＳメッセージ情報を受信すると、前記記憶装置１０１に記憶された通信制御ポリシに基づいて、前記メッセージ情報を優先して前記着信者端末２１に送信させるＳＭＳサーバ１０２とを備える。【選択図】図１
2013150088.tif 000002
【特許請求の範囲】
【請求項１】
緊急時に、ショートメッセージサービスに関する通信プロトコルを優先させるとともに、所定の発信者端末から所定の着信者端末への送信処理を優先させるための通信制御ポリシを記憶する記憶装置と、
緊急時であることを報知する情報を受信した後、前記発信者端末から、前記着信者端末を宛先とするショートメッセージサービスを利用したメッセージ情報を受信すると、前記記憶装置に記憶された通信制御ポリシに基づいて、前記メッセージ情報を優先して前記着信者端末に送信させるショートメッセージサービスサーバと
を備えることを特徴とする通信制御システム。
【請求項２】
前記所定の発信者端末と前記所定の着信者端末とは、異なる通信網に接続されている
ことを特徴とする請求項１に記載の通信制御システム。
【請求項３】
前記記憶装置は、前記通信制御ポリシとして、前記発信者端末と前記着信者端末との対応ごとの対象地域情報をさらに記憶し、
前記ショートメッセージサービスサーバは、前記記憶装置の通信制御ポリシに記憶された対象地域情報に該当する地域に関して前記緊急時であることを報知する情報が発令されたときに、前記メッセージ情報を優先して前記着信者端末に送信させる
ことを特徴とする請求項１または２に記載の通信制御システム。
【請求項４】
前記記憶装置は、前記通信制御ポリシとして、前記発信者端末から発信されたショートメッセージサービスを利用したメッセージ情報を、前記着信者端末に送信する際の情報変換形式をさらに記憶し、
前記ショートメッセージサービスサーバにより、前記発信者端末から前記着信者端末に送信されたショートメッセージサービスを利用したメッセージ情報を、前記通信制御ポリシに基づいて、前記情報変換形式で変換して前記着信者端末に送信する通信中継装置をさらに有する
ことを特徴とする請求項１〜３いずれか１項に記載の通信制御システム。
【請求項５】
前記通信中継装置は、前記通信制御ポリシに記憶された前記発信者端末、または前記着信者端末とは異なる端末に関するショートメッセージサービスを利用したメッセージ情報を受信したときには、当該メッセージ情報を破棄する処理、当該メッセージ情報の送信を一定時間待機する処理、または、網間のトラヒック負荷が所定値以下になるまで当該メッセージ情報の送信を待機する処理を行う
ことを特徴とする請求項４に記載の通信制御システム。
【請求項６】
通信制御システムが、
緊急時に、ショートメッセージサービスに関する通信プロトコルを優先させるとともに、所定の発信者端末から所定の着信者端末への送信処理を優先させるための通信制御ポリシを記憶する記憶ステップと、
緊急時であることを報知する情報を受信した後、前記発信者端末から、前記着信者端末を宛先とするショートメッセージサービスを利用したメッセージ情報を受信すると、前記記憶ステップで記憶された通信制御ポリシに基づいて、前記メッセージ情報を優先して前記着信者端末に送信させる送信ステップと
を有することを特徴とする通信制御方法。
【発明の詳細な説明】
【技術分野】
【０００１】
本発明は、災害発生時等の緊急時に安否確認メッセージ等の情報を優先して送信する通信制御システムおよび通信制御方法に関する。
【背景技術】
【０００２】
災害発生時等の緊急時には、通信トラヒックの負荷が増大して輻輳が発生することが多い。このような場合、情報の送受信の遅延やパケット損失を引き起こすおそれがある。
【０００３】
しかし携帯端末等の一般ユーザには、緊急時に安否確認メッセージ等の情報を所望の送信先に、迅速に確実に送信する技術が望まれていた。
【０００４】
一方、短い文章やメッセージを送受信する通信システムサービスの一つとして、ＳＭＳ（Short Message Service）がある。
【０００５】
ＳＭＳで送受信されるメッセージ（ＳＭＳメッセージ）の容量は通常の電子メールに比べて少なく、トラヒックが増大する災害発生時の通信に有効であると考えられている（非特許文献１）。
【先行技術文献】
【非特許文献】
【０００６】
【非特許文献１】“3rd Generation Partnership Project;Technical Specification Group Core Network and Terminals;Technical realization of the Short Message Service (SMS)(Release 6)”（3GPP TS 23.040 V6.8.1,2006-10）
【発明の概要】
【発明が解決しようとする課題】
【０００７】
しかしこの技術に関しては、ＳＭＳサーバを具備する網間の相互接続環境が十分に整っていたいため、網をまたいで他のＳＭＳサーバ配下に管理されている通信端末とはＳＭＳメッセージの送受信を行うことができないという問題があった。特に、移動体通信網と固定通信網との間ではＳＭＳサーバの相互接続が行われていない。
【０００８】
また、容量の少ないＳＭＳメッセージであっても、他の電話通話情報や電子メール情報の増大により通信輻輳が発生すると遅延等の障害が発生する可能性があり、さらなる技術の改良が求められていた。
【０００９】
そこで本発明では、災害発生時等の緊急時に、安否確認メッセージ等の情報を優先して確実に送信することが可能な通信制御システムおよび通信制御方法を提供することを目的とする。
【課題を解決するための手段】
【００１０】
上記の課題を解決するための、本発明の通信制御システムは、緊急時に、ショートメッセージサービスに関する通信プロトコルを優先させるとともに、所定の発信者端末から所定の着信者端末への送信処理を優先させるための通信制御ポリシを記憶する記憶装置と、緊急時であることを報知する情報を受信した後、前記発信者端末から、前記着信者端末を宛先とするショートメッセージサービスを利用したメッセージ情報を受信すると、前記記憶装置に記憶された通信制御ポリシに基づいて、前記メッセージ情報を優先して前記着信者端末に送信させるショートメッセージサービスサーバとを備えることを特徴とする。
【００１１】
また本発明の通信制御方法は、通信制御システムが、緊急時に、ショートメッセージサービスに関する通信プロトコルを優先させるとともに、所定の発信者端末から所定の着信者端末への送信処理を優先させるための通信制御ポリシを記憶する記憶ステップと、緊急時であることを報知する情報を受信した後、前記発信者端末から、前記着信者端末を宛先とするショートメッセージサービスを利用したメッセージ情報を受信すると、前記記憶ステップで記憶された通信制御ポリシに基づいて、前記メッセージ情報を優先して前記着信者端末に送信させる送信ステップとを有することを特徴とする。
【発明の効果】
【００１２】
本発明の通信制御システムおよび通信制御方法によれば、災害発生時等の緊急時に、安否確認メッセージ等の情報を優先して確実に送信することが可能になる。
【図面の簡単な説明】
【００１３】
【図１】本発明の一実施形態による通信制御システムの構成を示す全体図である。
【図２】本発明の一実施形態による通信制御システムの動作を示すフローチャートである。
【発明を実施するための形態】
【００１４】
〈一実施形態による通信制御システムの構成〉
本発明の一実施形態による通信制御システムの構成について、図１を参照して説明する。
【００１５】
本実施形態による通信制御システム１は、移動体通信網１０と固定通信網２０とが接続されて構成されている。
【００１６】
移動体通信網１０内には、記憶装置１０１と、ＳＭＳサーバ１０２と、固定通信網２０との相互通信接続を行う通信中継装置（ゲートウェイ）１０３とが接続されている。ＳＭＳサーバ１０２には携帯通信端末１１が接続され、ＳＭＳサーバ１０２は携帯通信端末１１に関する情報を管理し、携帯通信端末１１で送受信されるＳＭＳメッセージ情報の処理を行う。
【００１７】
移動体通信網１０の記憶装置１０１は、災害発生時などの緊急時に実行する通信制御処理に関する情報である通信制御ポリシを予め記憶する。
【００１８】
また固定通信網２０内には、移動体通信網１０との相互通信接続を行う通信中継装置（ゲートウェイ）２０１と、通信制御サーバ２０２とが接続されている。通信制御サーバ２０２には通信端末２１が接続され、通信制御サーバ２０２は通信端末２１に関する情報を管理し、通信端末２１で送受信される電子メール等の処理を行う。
【００１９】
〈一実施形態による通信制御システムの動作〉
次に、本実施形態による通信制御システム１の動作について説明する。
【００２０】
本実施形態において、携帯通信端末１１には予め、災害発生時などの緊急時に安否確認メッセージを送信する送信先として、通信端末２１の識別情報が登録されている。
【００２１】
また移動体通信網１０の記憶装置１０１には、災害発生時などの緊急時に実行する通信制御処理に関する情報である通信制御ポリシが予め記憶されている。通信制御ポリシには例えば、緊急時において、優先する通信プロトコル情報、優先して通信を行う発信者情報と着信者情報との対応情報、これらの発信者情報と着信者情報との間での通信における情報変換形式等が登録されている。本実施形態においては緊急時対応のための通信制御ポリシとして、「ＳＭＳメッセージ情報」に関する通信プロトコルの優先度が「高」として予め登録されるとともに、移動体通信網１０に接続された携帯通信端末１１を発信元とし固定通信網２０に接続された通信端末２１を着信先とする送信処理を優先させることが予め登録されているものとする。さらに、携帯通信端末１１から通信端末２１宛てに送信されたＳＭＳメッセージ情報は、電子メール情報形式に変換して送信されることが予め登録されているものとする。
【００２２】
これらの情報を含む通信制御ポリシが記憶装置１０１に記憶されている状態で、緊急時であることを報知するための災害発生通知が外部から発令され通信トラフィックの負荷が増大しているときに、移動体通信網１０内で実行される処理について、図２のフローチャートを参照して説明する。
【００２３】
まず、発令された災害発生通知が移動体通信網１０および携帯通信端末１１において受信される（Ｓ１）。そして、移動体通信網１０内のＳＭＳサーバ１０２および通信中継装置１０３において記憶装置１０１の緊急時対応のための通信制御ポリシが参照され、ＳＭＳメッセージ情報に関する通信プロトコルの処理優先度を上げるように設定される（Ｓ２）。
【００２４】
次に、当該災害発生通知が発令されたことにより、携帯通信端末１１から安否確認メッセージの送信先として登録された通信端末２１宛てに安否確認メッセージを含むＳＭＳメッセージ情報が送信され、ＳＭＳサーバ１０２で受信される（Ｓ３）。
【００２５】
ＳＭＳサーバ１０２では、受信した情報がＳＭＳメッセージ情報であることから、ステップＳ２で実行された処理により当該通信プロトコルの処理優先度が高いと判断される（Ｓ４）。
【００２６】
次に、ＳＭＳサーバ１０２または通信中継装置１０３において、このＳＭＳメッセージ情報の発信者情報と着信者情報との対応情報が、予め記憶装置１０１の通信制御ポリシに登録されているか否かが判断される（Ｓ５）。
【００２７】
本実施形態においては、受信したＳＭＳメッセージ情報は、発信者情報が「携帯通信端末１１」であり、着信者情報が「通信端末２１」であることから、当該対応情報が記憶装置１０１の通信制御ポリシに登録されていると判断される（Ｓ５の「YES」）。
【００２８】
そして、通信中継装置１０３において当該通信制御ポリシに従って、当該ＳＭＳメッセージ情報が電子メール情報形式に変換される（Ｓ６）。
【００２９】
電子メール情報形式に変換された安否確認メッセージは、移動体通信網１０の通信中継装置１０３から固定通信網２０の通信中継装置２０１に送信される（Ｓ７）。通信中継装置２０１で受信された電子メール情報は通信制御サーバ２０２を介して着信先である通信端末２１に送信される。
【００３０】
また、ステップＳ５において携帯通信端末１１から受信したＳＭＳメッセージ情報の発信者情報と着信者情報との対応情報が通信制御ポリシに登録されていないと判断されたとき（Ｓ５の「NO」）、つまり通信制御ポリシに記憶された発信者端末、または前記着信者端末と異なる端末に関するＳＭＳメッセージ情報を受信したときには、通信中継装置１０３において予め設定された通信規制処理が行われる（Ｓ８）。通信規制処理としては例えば、当該ＳＭＳメッセージ情報を破棄する処理、一定時間送信処理を待機する処理、または網間のトラヒック負荷が所定値以下である場合に送信処理を行い、所定値を超える場合には所定値以下になるまで送信を待機する処理等がある。
【００３１】
以上の本実施形態の通信制御システムによれば、災害発生時等の緊急時に、予め設定された通信制御ポリシに従って、安否確認メッセージ等の情報を優先して確実に送信することが可能になる。
【００３２】
また上記実施形態において、記憶装置１０１の通信制御ポリシに、優先する発信者情報と着信者情報との対応ごとの対象災害発生地域情報をさらに登録しておき、ＳＭＳサーバ１０２は、通信制御ポリシに登録された対象災害発生地域情報に該当する地域に関して災害発生通知が発令されたときに、当該ＳＭＳメッセージ情報を優先して固定通信網２０に送信するようにしてもよい。
【００３３】
また上記実施形態においては安否確認メッセージを、ＳＭＳメッセージ情報を用いて送信する場合について説明したが、ＳＩＰ（Session Initiation Protocol）を用いて送信するようにしてもよい。この場合、緊急時対応のための通信制御ポリシとしてＳＩＰに関するプロトコルの優先度を高くするように登録しておくことで対応が可能である。
【符号の説明】
【００３４】
１…通信制御システム
１０…移動体通信網
１１…携帯通信端末
２０…固定通信網
２１…通信端末
１０１…記憶装置
１０２…ＳＭＳサーバ
１０３…通信中継装置
２０１…通信中継装置
２０２…通信制御サーバ
【図１】
2013150088.tif 000003
【図２】
2013150088.tif 000004